(57)【要約】【課題】  取扱いが便利な警報ブザーを提供する。【解決手段】  操作子の係合用突起を警報ブザー本体の係合溝に摩擦係合させるように構成したことにより、警報ブザー本体に対して操作子を引出し又は押込むことによってユーザが的確に警報音を発生させ又は発生させないように操作できる。【選択図】図１
2005345977.tif 000002
【特許請求の範囲】
【請求項１】
警報ブザー本体に対してユーザの操作によって挿入動作又は引出し動作する操作子と、
上記警報ブザー本体に設けられ、上記操作子を挿入動作又は引出し動作するように内部に保持する操作子保持用筒部と、
上記操作子及び上記警報ブザー本体間に設けられ、上記操作子が挿入動作したときブザーに対する電源をオフ状態にしかつ上記操作子が引出し動作したとき上記ブザーに対する電源をオン状態にする電源スイッチと、
挿入動作又は引出し動作する上記操作子を上記操作子保持用筒部に摩擦係合させる摩擦係合手段と
を具えることを特徴とする警報ブザー。
【発明の詳細な説明】
【技術分野】
【０００１】
本発明は、警報ブザーに関し、特に取扱いを一段と簡便にしたものである。
【背景技術】
【０００２】
従来、例えば防犯用警報ブザーとして、ブザー本体への電源回路に絶縁部材を挿入しておき、非常時にユーザが当該絶縁材を外部に引き抜いてブザー本体に電源を接続することにより、ブザーを鳴らすようにした構成のものが提案されている。
【発明の開示】
【発明が解決しようとする課題】
【０００３】
このような従来の構成の警報ブザーは、非常時に操作子を外部に引き抜いてしまうために、再度警報ブザーを使用できる状態に復旧させるのが困難な問題がある。
【０００４】
本発明は以上の点を考慮してなされたもので、復旧操作を一段と簡易にすることにより、取扱いが簡便な警報ブザーを提案しようとするものである。
【課題を解決するための手段】
【０００５】
かかる課題を解決するため本発明においては、警報ブザー本体１１Ａに対してユーザの操作によって挿入動作又は引出し動作する操作子５と、警報ブザー本体１１Ａに設けられ、操作子５を挿入動作又は引出し動作するように内部に保持する操作子保持用筒部１１Ｄと、操作子５及び警報ブザー本体１１Ａ間に設けられ、操作子５が挿入動作したときブザー１７に対する電源をオフ状態にしかつ操作子５が引出し動作したときブザー１７に対する電源をオン状態にする電源スイッチ３３と、挿入動作又は引出し動作する操作子５を操作子保持用筒部１１Ｄに摩擦係合させる摩擦係合手段５Ａ、１１Ｅとを設ける。
【発明の効果】
【０００６】
本発明によれば、ユーザが警報ブザー本体に対して操作子を引出し操作又は挿入操作することにより警報ブザー回路を非動作又は動作状態にする際に、警報ブザー本体に対して操作子を摩擦係合させることにより、当該警報発生動作及び停止動作を一段と容易かつ確実になし得る警報ブザーを実現できる。
【発明を実施するための最良の形態】
【０００７】
以下図面について、本発明の一実施の形態を詳述する。
【０００８】
図１において、１は全体として警報ブザーを示し、人形キャラクタ被覆部２に覆われた警報ブザー本体３の一端部（図１において右方端部）が人形キャラクタ被覆部２の外方に突出してブザー部４を形成している。
【０００９】
人形キャラクタ被覆部２の他端部（図１において左方端部）において、操作子５が警報ブザー本体３から外方に突出し、当該操作子５の先端に設けられた接続用孔５Ａに引張り操作用ひも部６が接続されており、ユーザが引張り操作用ひも部６を握って外方に引張ることにより、操作子５を警報ブザー本体３に押込まれた挿入位置（図１）にある状態から外方に突出した引出し位置に引き出した状態（図２）を得ることができるように構成されている。
【００１０】
警報ブザー本体３は円筒形状の内蔵ケース１１を有し、内蔵ケース１１の外側表面が左方端部の一部を残して人形キャラクタ被覆部２によって被覆されている。
【００１１】
内蔵ケース１１の一端方向の開放端の内面には接合用ねじ１１Ａが形成され、当該接合用ねじ１１Ａに対して円筒形状の基板ケース１２の接合用ねじ１２Ａが一端方向の外側からねじ込まれることにより基板ケース１２が内蔵ケース１１の当該一端部に一体に接合される。
【００１２】
基板ケース１２の他端方向の端部には外径が少し細い段部１２Ｂが形成され、この段部１２Ｂの内部に円筒形状の電池ケース１３が他端側から一体に嵌め込まれ、これにより電池ケース１３内に収納されている２個のボタン電池１４Ａ及び１４Ｂが基板ケース１２の他端方向の端部内に保持される。
【００１３】
基板ケース１２の接合用ねじ１２Ａの一端方向の外側部分には、内径寸法が太い段部１２Ｃが形成されると共に、当該段部１２Ｃの先端部に円形皿形のブザーカバー１５が嵌め込まれている。
【００１４】
段部１２Ｃの内部には回路基板１６が一体に嵌め込まれていると共に、段部１２Ｃの先端部周縁に、圧電素子によって構成された振動板１７が装着され、これにより警報ブザー本体３のブザー部４が形成されている。
【００１５】
回路基板１６から導出されたリード線１７Ａ及び１７Ｂが振動板１７に接続され、これにより回路基板１６が振動板１７に振動駆動信号を与えることによりブザー動作させる。
【００１６】
これと共に、回路基板１６の他端側方向の表面には、弾性を有する導電性棒体でなる負電極１８が植立され、これが回路基板１６から他端方向に延長した後先端部が「へ」字状に折れ曲って一方のボタン電池１４Ｂの負極電極面に接触する。
【００１７】
また、回路基板１６の他端方向の表面には、剛性を有する導電性棒体でなるトランス支持具１９が植立され、その先端に昇圧用トランス２０が設けられている。
【００１８】
かくして昇圧用トランス２０はトランス支持具１９によって機械的に回路基板１６に保持されると共に、振動板１７を振動駆動するための駆動信号が回路基板１６から与えられたとき、これを昇圧して回路基板１６に戻すようになされている。
【００１９】
本体部１１Ａの他端方向の端部には、これを閉塞するように円環状の閉塞板部１１Ｃが形成され、その中央開口部から他端方向に外方に突出するように円筒形状の操作子保持用筒部１１Ｄが形成されている。
【００２０】
操作子保持用筒部１１Ｄの閉塞板部１１Ｃとの連接部分の内面に、円筒状係合溝１１Ｅが形成され、当該係合溝１１Ｅに操作子５の係合用突起５Ａが摩擦係合している。
【００２１】
操作子５は円棒本体部５Ｂが操作子保持用筒部１１Ｄ内を、図１において左右方向３に、摺動しながら移動できるように挿通保持されており、その一端方向（図１において右方向）の端部の外表面に円環鍔状の係合用突起５Ａを形成している。
【００２２】
この実施の形態の場合、係合用突起５Ａの外径は係合溝１１Ｅの内径より僅かに大きい値に選定され、これにより操作子５の円棒本体部５Ｂが操作子保持用筒部１１Ｄ内を、一端方向に向って内方に押し込まれたとき係合用突起５Ａと係合溝１１Ｅとの間の摩擦係合力によって、操作子５が、図１に示すように係合用突起５Ａが係合溝１１Ｅの一端方向の部分に当接した押込み位置に保持されると共に、操作子５の円棒本体部５Ｂが操作子保持用筒部１１Ｄ内を他端方向に外方に向って引き出されたとき係合用突起５Ａと係合溝１１Ｅとの間の摩擦係合力によって、操作子５が、図２に示すように係合用突起５Ａが係合溝１１Ｅの他端方向の部分に当接した当該引出し位置に保持され、さらに、操作子５が押込み操作又は引出し操作されたとき、係合用突起５Ａが係合溝１１Ｅ内を摩擦係合しながら摺動することにより、ユーザに適度な抵抗感を与えながら操作子５が押込み位置から引出し位置まで引出し動作し、又は引出し位置から押込み位置まで押込み動作する。
【００２３】
操作子５の円棒本体部５Ｂの内部には、その中心軸線に沿うように、円筒状の接点保持孔５Ｃが形成され、その一端方向側の端部にハット形状の切換接点２１が装着されている。
【００２４】
切換接点２１は、図４に拡大して示すように、薄い導電性金属板を「はと目」加工することにより円筒部２１Ａを形成すると共に、その他端方向側の端部を内側に折曲げて当該折曲げ端部２１Ｂと一方のボタン電池１２Ａの正極側電極面との間に、円筒部２１Ａの内部空間を通じて導電性スプリング２２を保持している。
【００２５】
円筒部２１Ａの一端方向側の端部はほぼ直角に外方に折曲げられ、当該折曲げ端部２１Ｃがボタン電池１２Ａの正極側電源を出力するための可動接点を構成し、この折曲げ端部１１Ｃが円棒本体５Ｂの一端方向側の端部の外側に突出して他端方向側の表面が、内蔵ケース１１の閉塞板部１１Ｃの一端方向側の表面に設けられた接点板２３に対向している。
【００２６】
ここで、切換接点２１は導電性スプリング２２の弾発力によってその折曲げ端部２１Ｃが常に円棒本体部５Ｂの一端方向の端面に当接するように押圧されている。
【００２７】
接点板２３はゴム材でなる緩衝板２４を介して閉塞板部１１上に配設され、これにより操作子５の円棒本体５Ｂが他端方向に引張られることにより外方に摺動したとき、折曲げ端部２１Ｃが接点板２３に当接することにより、電気的に導通状態になって折り曲げ端部２１Ｃの正極側電源出力を接点板２３に供給する。
【００２８】
電池ケース１３の一側部には一端方向側から他端方向側に連通する電極保持溝２４が形成され、当該電極保持溝２４に正電極２５が嵌め込み保持される。
【００２９】
正電極２５は導電性棒体でなり、回路基板１６の他端方向の表面に実用上十分な強度で植立されると共に、電極保持溝２４から突出した他端方向の突出端部がＵ字状に折り返すように折り曲げられ、当該折曲げ部分２５Ａを接点板２３に当接させることによって、接点板２３の正極電源出力を正電極２５を介して回路基板１６に供給する。
【００３０】
回路基板１６には図３に示す警報ブザー回路３１が搭載されている。
【００３１】
警報ブザー回路３１は、ボタン電池１４Ａ及び１４Ｂでなる電源３２の正極側電源出力が導電性スプリング２２を介して切換接点２１に接続されると共に、負極側電源出力が負電極１８を介して回路基板１６のアースラインに接続されている。
【００３２】
切換接点２１は接点板２３と共に電源スイッチ３３を構成し、切換接点２１が接点板２３と接触したとき電源３２から得られる正極性電源出力が正電極２５を介して回路基板１６の正電源ライン３５に与えられる。
【００３３】
正電源ライン３５に正電源出力が与えられたとき、演算増幅回路Ａ１を有する断続回路３６が抵抗Ｒ１及びコンデンサＣ１の充放電回路によって決まる断続周期でオン・オフ動作する断続出力Ｓ１を得、これを演算増幅回路Ａ２を有する発振回路３７に与える。
【００３４】
発振回路３７は抵抗Ｒ３及びコンデンサＣ２によって決まる発振周波数で発振動作をすることにより、警報音の音高を決める発振出力Ｓ２を得てトランジスタＡ３を有する増幅回路３８を介して警報出力Ｓ３として送出する。
【００３５】
この警報出力Ｓ３はトランス支持具１９を介して正電源ライン３５に接続された昇圧トランス２０に与えられ、その昇圧出力Ｓ４がリード線１７Ａ及び１７Ｂを介して振動板１７を振動動作させることにより警報音を発生する。
【００３６】
以上の構成において、警報ブザー１は、その非動作時には、図１に示すように、操作子５の円棒本体部５Ｂが内部に押し込まれた押込み位置にある状態にあり、そのとき切換接点２１の折曲げ端部２１Ｃが接点板２３から離間していることにより、電源スイッチ３３がオフ状態になっている。
【００３７】
従ってこのとき警報ブザー回路３１は警報動作をしないことにより振動板１７からブザー音が発生されない状態にある。
【００３８】
これに対して、ユーザが引張り操作用ひも部６を握って他端方向に引くと、操作子５の円棒本体部５Ｂが外方に引き出されることにより、図２に示すように、係合突起５Ａが係合溝１１Ｅの他端方向の縁部に近づくような引出し位置に摺動する。
【００３９】
このとき切換接点２１の折曲げ端部２１Ｃが接点板２３に当接することにより、電源スイッチ３３がオン動作した状態になる。
【００４０】
このとき警報ブザー回路３１が警報動作をすることにより振動板１７が警報音を発生する。
【００４１】
この警報音発生状態において当該警報音発生動作を止めたい場合は、ユーザは操作子５を一端方向に押し込むような操作をする。
【００４２】
このとき操作子５は係合用突起５Ａが係合溝１１Ｅに摩擦係合しながら摺動することによって切換接点２１の折曲げ端部２１Ｃが接点板２３から離間し、これにより電源スイッチ３３がオフ動作して警報ブザー回路３１が非動作状態に戻り、その結果警報音の発生を停止した状態になる。
【００４３】
以上の構成によれば、操作子５の係合用突起５Ａと係合溝１１Ａとの間の摩擦係合力を利用してユーザが操作子５を内蔵ケース１１から引き出したり押し込んだりする際に、適切な抵抗感をユーザに与えることができる。
【００４４】
因に、係合溝１１Ｅの円筒部内径φ１をφ１＝5.57±0.03〔mm〕に選定すること共に、係合用突起５Ａの外径φ２を、円筒部内径φ１より僅かに大きい値、φ２＝5.7 ±0.03〔mm〕に選定したところ、ユーザが操作子５を押し込み又は引き出す操作をするのに適切な嵌合強度を得ることができた。
【００４５】
実験によれば、係合溝１１Ｅの円筒部内径φ１と係合用突起５Ａの外径φ２との径差が0.1 〜0.15〔mm〕の場合には、４〜７〔kg〕の嵌合強度が得られ、このような嵌合強度であればユーザが操作子５の押し込み又は引き出す操作をする際に適切な抵抗感を与えることができることにより、ユーザが的確にオン・オフ操作することができることを確認できた。
【産業上の利用可能性】
【００４６】
防犯用警報ブザーのようにユーザの操作によって警報音を発生したり止めたりする場合に利用できる。
【図面の簡単な説明】
【００４７】
【図１】本発明の一実施の形態による警報ブザーを示す縦断面図である。
【図２】図１の警報動作状態を示す縦断面図である。
【図３】図１の回路基板上に構成される警報ブザー回路を示す回路図である。
【図４】図１の要部を示す拡大縦断面図である。
【符号の説明】
【００４８】
１……警報ブザー、２……人形キャラクタ被覆部、３……警報ブザー本体、４……ブザー部、５……操作子、５Ａ……係合用突起、５Ｂ……円棒本体部、５Ｃ……接点保持孔、６……引張り操作用ひも部、１１……内蔵ケース、１１Ａ……本体部、１１Ｂ……接合用ねじ、１１Ｃ……閉塞板部、１１Ｄ……操作子保持用円筒部、１１Ｅ……係合溝、１２……基板ケース、１２Ａ……接合用ねじ、１２Ｂ、１２Ｃ……段部、１３……電池ケース、１３Ａ……案内溝、１４Ａ、１４Ｂ……ボタン電池、１５……ブザーカバー、１６……回路基板、１７……振動板、１７Ａ、１７Ｂ……リード線、１８……負電極、１９……トランス支持具、２０……昇圧用トランス、２１……切換接点、２１Ａ……円筒部、２１Ｂ、２１Ｃ……折曲げ端部、２２……導電性スプリング、２３……接点板、２４……緩衝板、２５……正電極、３１……警報ブザー回路、３２……電源、３３……電源スイッチ、３４……アースライン、３５……正電源ライン、３６……断続回路、３７……発振回路、３８……増幅回路。
【図１】
2005345977.tif 000003
【図２】
2005345977.tif 000004
【図３】
2005345977.tif 000005
【図４】
2005345977.tif 000006